(57)【要約】【課題】コンクリートブロックにパネル体を容易に固定できると共に仮設後の撤去が容易にできるコンクリートブロック用パネル体を提供する。【解決手段】載置部材１１は、固定具３２を固定部３３の長孔３３ａに挿通してコンクリートブロック５の上端面５ａに固定してある。パネル本体９は、下端部１７の見込み方向他方側の見付け面に設けた係合部２９を載置部材１１の被係合部３５に係合してある。パネル側固定具３９はパネル本体９の水平溝２７にスライド自在に係合してあり且つ取付金具３７の垂直部３７ａの挿通孔４３に挿通してパネル本体下端部１７に固定してあり、ブロック側固定具４１は取付金具３７の水平部３７ｂの見込み方向に長い長孔４４に挿通してコンクリートブロック５の上端面５ａに固定してある。【選択図】図１
2011184903.tif 000002
【特許請求の範囲】
【請求項１】
コンクリートブロックの上端面に設置するものであり、パネル本体と、パネル本体を載置する載置部材と、固定部材とを備え、パネル本体は、パネル本体の下端部の見込み方向一方側の見付け面に設けた見付け方向に長い水平溝と、パネル本体の下端部の見込み方向他方側の見付け面に設けた係合部を有し、載置部材は、見込み方向に長い長孔を形成した固定部と、パネル本体の係合部に係合する被係合部を有し、固定具を固定部の長孔に挿通してコンクリートブロックの上端面に固定してあり、固定部材は、取付金具と、パネル側固定具と、ブロック側固定具とからなり、取付金具は、垂直部と水平部とを有しており、垂直部にパネル側固定具の挿通孔が形成してあり、水平部にパネル本体の見込み方向に沿って長い長孔が形成してあり、パネル側固定具はパネル本体の水平溝にスライド自在に係合してあり且つ取付金具の垂直部の挿通孔に挿通してパネル本体の下端部に固定してあり、ブロック側固定具は取付金具の水平部の長孔に挿通してコンクリートブロックの上端面に固定してあることを特徴とするコンクリートブロック用パネル体。
【発明の詳細な説明】
【技術分野】
【０００１】
本発明は、コンクリートブロックの上端面に設置するコンクリートブロック用パネル体に関する。
【背景技術】
【０００２】
一般に、鉄道等の車両通行路の側部に沿って並べたコンクリートブロックの上にパネル体を設けて、コンクリートブロックをパネル体で嵩上げした防音壁を施工することがある。
従来、かかるコンクリートブロックの上にパネル体を設置する場合には、図５に示すように、左右のコンクリートブロック５にＨ型鋼材製の支柱６１を立設し、支柱６１、６１間で支柱の溝にパネル体６３を挿入することによりコンクリートブロック５の上端にパネル体６３を設置していた。
【発明の概要】
【発明が解決しようとする課題】
【０００３】
しかし、従来技術では、コンクリートブロック５に左右の支柱６１、６１を立設する必要があるので、施工に手間がかかるという問題があった。
また、コンクリートブロック５にパネル体６３を仮設する場合には、仮設後の撤去では、パネル体６３を支柱６１、６１間から外した後、支柱６１も外さなければならないので、徹去作業に手間がかかるという問題がある。
【０００４】
そこで、本発明は、コンクリートブロックにパネル体を容易に固定できると共に仮設後の撤去が容易にできるコンクリートブロック用パネル体の提供を目的とする。
【課題を解決するための手段】
【０００５】
請求項１に記載の発明は、コンクリートブロックの上端面に設置するものであり、パネル本体と、パネル本体を載置する載置部材と、固定部材とを備え、パネル本体は、パネル本体の下端部の見込み方向一方側の見付け面に設けた見付け方向に長い水平溝と、パネル本体の下端部の見込み方向他方側の見付け面に設けた係合部を有し、載置部材は、見込み方向に長い長孔を形成した固定部と、パネル本体の係合部に係合する被係合部を有し、固定具を固定部の長孔に挿通してコンクリートブロックの上端面に固定してあり、固定部材は、取付金具と、パネル側固定具と、ブロック側固定具とからなり、取付金具は、垂直部と水平部とを有しており、垂直部にパネル側固定具の挿通孔が形成してあり、水平部にパネル本体の見込み方向に沿って長い長孔が形成してあり、パネル側固定具はパネル本体の水平溝にスライド自在に係合してあり且つ取付金具の垂直部の挿通孔に挿通してパネル本体の下端部に固定してあり、ブロック側固定具は取付金具の水平部の長孔に挿通してコンクリートブロックの上端面に固定してあることを特徴とする。
【発明の効果】
【０００６】
請求項１に記載の発明によれば、パネル本体の下端部の見付け面に設けた水平溝によりパネル側固定具のパネル見付け方向の位置を調整し、取付金具の水平部の長孔によりブロック側固定部のパネル見込み方向の位置を調整できるので、パネル本体の固定位置をコンクリートブロックの上端面の任意の位置で固定することができる。例えば、コンクリートブロックに予めインサートやアンカー等の固定用部材が埋め込まれている場合には、固定用部材の位置に合わせて固定位置を調整できる。従って、コンクリートブロックにパネル体を容易に固定できる。
従来技術のようなパネル体取付用の支柱を立設しないで、コンクリートブロックの上にパネル体を固定できるので、施工に手間がかからない。
載置部材は固定具でコンクリートブロックに固定してあり、パネル本体は取付金具をパネル側固定具により固定して、ブロック側固定具により取付金具をコンクリートブロックに固定しているので、各固定具の取り付け及び取り外しにより、パネル本体の取り付け及び取り外しができるから、パネル体１の仮設及び仮設後の撤去が容易できる。
固定部材は、パネル本体の見込み方向一方側で固定しているので、パネル本体の一方側からのみの施工ができ、例えば、車両通行路の側部に設置してあるコンクリートブロックの上端面にパネル本体を固定する場合には、車両通行路側のみからの施工ができるから、車両通行路外側に足場等を設けなくて済む。
載置部材は固定部に形成されている見込み方向の長孔により、見込み方向における設置位置の調整が容易にできる。
パネル体の見込み方向他方側では、パネル体の係合部が載置部材の被係合部に係合しているので、パネル体が台風等により見込み方向他方側から風圧等を受けた場合に、パネル体の浮き上がりを防止できる。
【図面の簡単な説明】
【０００７】
【図１】本発明の実施の形態に係るコンクリートブロック用パネル体をコンクリートブロックに固定した状態を示す図であり、図４のＡ−Ａ位置で切断して示す縦断面図である。
【図２】本発明の実施の形態に係るコンクリートブロック用パネル体をコンクリートブロックに固定した状態を、図１のＢ−Ｂ位置で切断して示す横断面図である。
【図３】本発明の実施の形態に係るコンクリートブロック用パネル体をコンクリートブロックに固定した状態を示す図であり、図４のＣ−Ｃ位置で切断して示す横断面図である。
【図４】本発明の実施の形態に係るコンクリートブロック用パネル体をコンクリートブロックに固定した状態を車両通行路側から見た正面図である。
【図５】従来のパネル体の施工例を示す図であり、コンクリートブロック用パネル体をコンクリートブロックに固定した状態を車両通行路側から見た正面図である。
【発明を実施するための形態】
【０００８】
以下に、添付図面の図１〜図４を参照して本発明の第１実施の形態を詳細に説明する。本実施の形態にかかるコンクリートブロック用パネル体１は、高架鉄道（車両通行路）の防音壁３に用いられており、図４に示すように、既設コンクリートブロック５の上端面に設置して防音壁３を嵩上げしている。
図１に示すように、コンクリートブロック５は、縦断面が略Ｌ字形状を成しており、Ｌ字の垂直部分の上端面５ａにコンクリートブロック用パネル体１が設置されている。コンクリートブロック５の上端面５ａには、コンクリートブロック５の車両通行路側で見付け方向に間隔をあけて列状に配置された一方側インサート７ａと、コンクリートブロック５の車両通行路外側で見付け方向に間隔をあけて列状に配置された他方側インサート７ｂとが埋め込まれている。本実施の形態では、一方側インサート７ａと他方側インサート７ｂとは見付け方向に沿って２列状に配置されている。各インサートの列には、例えば４個のインサートが等間隔で埋め込まれている。
【０００９】
コンクリートブロック用パネル体１は、パネル本体９と、パネル本体９を載置する載置部材１１と、固定部材１３とを備えている。
パネル本体９は、上枠（上端部）１５、下枠（下端部）１７、左右の竪枠１９、２１を枠組みした枠内にパネル２５を取付けてある。パネル２５は、例えばポリカーボネート板である。
図１及び図２に示すように、下枠１７には、車両通行路側（パネル本体９の見込み方向一方側）の見付け面に見付け方向に長い水平溝２７が形成してある。下枠１７の車両通行路外側（見込み方向他方側）の見付け面には見付け方向に長い係合部２９が形成してある。係合部２９は、図１に符号ａで拡大して示すように、車両通行路外側に向けて突設した縦断面略Ｌ字形状を成す突部であり、水平部２９ａと垂直部２９ｂとを有している。
【００１０】
載置部材１１は、パネル本体９を載置する載置部３１と載置部３１の車両通行路側に設けた固定部３３とを備えており、図１に符号ｂで平面図を抜き出して示すように、固定部３３にはパネル本体１の見込み方向に長い長孔３３ａが形成してあり、見込み方向長孔３３ａにボルト（固定具）３２の軸部３２ａを挿通して車両通行路外側インサート７ｂに固定されている。載置部３１の車両通行路外側端の上面には、パネル本体９の係合部２９に対向する被係合部３５が設けてある。被係合部３５には、垂直部３５ａと、垂直部３５ａからパネル本体９側に向けて突設した水平部３５ｂとが設けてあり、被係合部３５の水平部３５ｂにパネル本体９の係合部２９の垂直部２９ｂが下から係合している。
載置部材１１は、車両通行路外側端に下方に垂下した水切り片１２が設けてあり、水切り片１２はコンクリートブロック５の車両通行路外側面５ｂとの間に間隔をあけて配置されている。
【００１１】
固定部材１３は、図４に示すように、パネル本体１９の車両通路側の見付け面に見付け方向に所定間隔をあけて設けてある。図１に示すように、固定部材１３は、取付金具３７と、パネル側固定具３９と、ブロック側固定具４１とから構成されており、取付金具３７は、垂直部３７ａと水平部３７ｂとを有しており、縦断面が略Ｌ字状を成している。垂直部３７ａにパネル側固定具３９の挿通孔４３が形成してあり、図１に符号ｃで平面図を抜き出して示すように、水平部３７ｂにはパネル本体９の見込み方向に長い長孔４４が形成してある。
パネル側固定具３９はボルト４５とナット４７であり、ボルト４５の頭４５ａをパネル本体９の水平溝２７にスライド自在に係合してあり、ボルト４５ａのネジ部を挿通孔４３に挿通してナット４７で取付金具３７を固定してある。
ブロック側固定具４１は、ボルトであり、取付金具３７の水平部３７ｂの見込み方向長孔４４にねじ部４１ａを挿通してコンクリートブロック５の車両通行路側インサート７ａに固定してある。
図３及び図４に示すように、隣り合うパネル本体９、９は互いに対向する左右竪枠１９、２１の見込み面に乾式シール材４９が設けてあり、乾式シール材４９を互いに当接している。また、図１及び図４に示すように、隣り合うパネル本体９、９の上枠１５には、左右の上枠１５、１５に跨ってカバー部材５１が設けてあり、カバー部材５１は一方のパネル本体９の上枠１５にビス５３により固定されている。
【００１２】
次に、本実施の形態にかかるコンクリートブロック用パネル体１を用いた防音壁３の施工、作用効果について説明する。
車両通行路にはその側部に沿って既設コンクリートブロック５が並べて設置されており、本実施の形態では、各コンクリートブロック５の車両通行路側からの作業により、各コンクリートブロック５にパネル体１を取付けて防音壁の嵩上げを行う。
コンクリートブロック５の上端面５ａにおいて、車両通行路外側部分には、載置部材１１の載置部３１を配置して固定部３３を固定具３２で車両通行路外側インサート７ｂに固定する。載置部材１１の取り付けは、載置部３１の水切り片１２をコンクリブロック５の車両通行路外側面５ｂと間隔をあけて配置し且つ載置部３１をコンクリートブロック５の車両通行路外側端に沿って配置し、固定部３３の見込み方向長孔３３ａにより、載置部材１１の位置を調整し、車両通行路外側インサート７ｂに固定具３２で固定する。
パネル本体９の下枠１７には、その水平溝２７にパネル側固定具３９のボルト４５の頭４５ａをスライド自在に係合し、ねじ部４５ｂを取付金具３７の垂直部３７ａの挿通孔４３に挿通してナット４７で取付金具３７を固定しておく。
次に、載置部材１１の上にパネル本体９を載置するが、パネル本体９の下枠１７の車両通行路外側面に設けた係合部２９を載置部材１１の被係合部３５の下に配置して係合させる。尚、隣接する左右のパネル本体９、９は互いに左右竪枠１９、２１の見込み面に設けた乾式シール材４９を当接させて配置する。
そして、パネル側固定具３９を取付金具３７と共に水平溝２７に沿ってスライドして車両通行路側インサート７ａに取付金具３７の見込み方向長孔４４の位置を合わせ、ブロック側固定具４１の軸部４１ａを取付金具３７の見込み方向長孔４４に挿通し、見込み方向の位置を調整して、車両通行路側インサート７ｂに固定する。
尚、隣り合うパネル本体９、９間でパネル本体９の上端には、カバー部材５１を隣り合うパネル本体９、９に跨って取付けた後、車両通行路側面をビス５３で固定する。
【００１３】
本実施の形態によれば、パネル本体９の下枠（下端部）１７の見付け面に設けた水平溝２７により、パネル側固定具３９のパネル見付け方向の位置を調整し、取付金具３７の見込み方向長孔４４によりパネル見込み方向の位置を調整することにより、取付金具３７の位置調整が左右前後に可能であるから、コンクリートブロック５に設けてあるインサート７ｂの位置に合わせてパネル本体９を固定することができる。
従来技術のようなパネル取付用の支柱を別に立設しないで、コンクリートブロック５の上にパネル本体９を固定できるので、手間がかからない。
載置部材１１は固定具３２でコンクリートブロック５に固定してあり、パネル本体９は取付金具３７をパネル側固定具３９により固定して、ブロック側固定具４１により取付金具３７をコンクリートブロック５に固定しているので、各固定具３２、３９、４１の取り付け及び取り外しにより、パネル本体９の取り付け及び取り外しが可能であるから、パネル体１の仮設や仮設後の撤去が容易できる。
パネル本体９の見込み方向他方側では、係合部２９を載置部材１１の被係合部３５に係合しているので、台風等により見込み方向他方側から風圧を受けた場合に、パネル本体９の浮き上がりを防止できる。
固定部材１３はパネル本体９の車両通行路側に設けてコンクリートブロック５の上面５ａに固定しているので、パネル本体９の車両通行路側からのみの施工ができ、パネル本体９の施工時に車両通行路外側に足場等を設けなくて済む。
パネル本体９は載置部材１１の上に載せてパネル本体９の下端をコンクリートブロック５の上面５ａから離しているので、コンクリートブロック上面５ａに溜まった雨水等により、パネル本体９が腐食等するのを防止できる。
載置部材１１には、水切り片１２を設けているので、コンクリートブロック５の車両通行路外側面５ｂに雨筋が付くのを防止できる。
隣り合うパネル本体９、９の上端には、カバー部材５１を跨って取付けているので、パネル体間に雨水等が浸入するのを防止できる。
隣り合うパネル本体９、９は互いに当接しているだけで互いに固定していないから、例えば地震等によりパネル本体９、９間に相対変位が生じた場合でも、各パネル本体９、９は独自に変位できるのでパネル本体９の損傷を防止できる。
また、隣り合うパネル本体９、９において、カバー部材５１はビス５３により、一方のパネル本体９のみに固定されているので、パネル体９、９間に相対変位が生じた場合にその変位を許容できるから、カバー部材５１が破損するのを防止できる。
【００１４】
本発明は、上述した実施の形態に限らず、本発明の要旨を逸脱しない範囲で種々変形可能である。
例えば、コンクリートブロック５にはインサート７ａ、７ｂ等の固定用部材が埋め込まれていることに限らず、インサート７ａ、７ｂ等の固定用部材を埋め込まないで、固定具３２やブロック側固定具４１を直接コンクリートブロック５の上端面に固定するものであっても良い。
また、コンクリートブロック５にインサート７ａ、７ｂ等の固定用部材が埋め込まれている場合には、その配列や数は制限されず、例えば、見付け方向に一列状のみに設けたものや３列状に設けたものであっても良いし、各列では見付け方向に２個又は３設けても良いし、５個以上設けても良い。
取付金具３７は、その垂直部３７ａに設けた挿通孔４３は上下に長い長孔として、取付金具３７に対するパネル側固定具３９の上下位置を調整できるようにしても良い。
コンクリートブロック用パネル体１は、車両通行路の側部に設ける防音壁３に限らず、河川の土手や、塀等に設置されたコンクリートブロック５に取付けるものであっても良い。
【符号の説明】
【００１５】
１      コンクリートブロック用パネル体
５      コンクリートブロック
５ａ    上端面
９      パネル本体
１１    載置部材
１３    固定部材
１７    下枠（下端部）
２７    水平溝
２９    係合部
３３    固定部
３３ａ  長孔（見込み方向長孔）
３５    被係合部
３７    取付金具
３７ａ  垂直部
３７ｂ  水平部
３９    パネル側固定具
４１    ブロック側固定具
４４    長孔（見込み方向長孔）
【図１】
2011184903.tif 000003
【図２】
2011184903.tif 000004
【図３】
2011184903.tif 000005
【図４】
2011184903.tif 000006
【図５】
2011184903.tif 000007